【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
少なくとも一部に円弧形状を有し、互いに平行となるように配置された２つのリング状導体と、
各々の両端部が前記リング状導体に接続された複数の直線状導体と、
各々が、少なくとも１以上のキャパシタから構成される、容量が実質的に同一である複数のキャパシタと、を備え、
前記キャパシタは、前記直線状導体上または/および隣り合う前記直線状導体の接続点で挟まれた前記リング状導体の一部を構成する弧状導体上に、少なくとも１つずつ配置され、
前記複数の直線状導体は、前記リング状導体の長軸および短軸に対して、線対称に配置され、
前記直線状導体の幅および隣り合う前記直線状導体の中心間の距離は、前記リング状導体状の短軸方向から長軸方向に向かって増加することを特徴とするコイルを備えた磁気共鳴イメージング装置。
【請求項２】
少なくとも一部に円弧形状を有し、互いに平行となるように配置された２つのリング状導体と、
各々の両端部が前記リング状導体に接続された複数の直線状導体と、
各々が、少なくとも１以上のキャパシタから構成される、容量が実質的に同一である複数のキャパシタと、を備え、
前記キャパシタは、前記直線状導体上または/および隣り合う前記直線状導体の接続点で挟まれた前記リング状導体の一部を構成する弧状導体上に、少なくとも一つずつ配置され、
前記複数の直線状導体は、前記リング状導体の長軸および短軸に対して、線対称に配置され、
前記直線状導体の幅は、前記リング状導体の短軸方向から長軸方向に向かって増加することを特徴とするコイルを備えた磁気共鳴イメージング装置。
【請求項３】
少なくとも一部に円弧形状を有し、互いに平行となるように配置された２つのリング状導体と、
各々の両端部が前記リング状導体に接続された複数の直線状導体と、
各々が、少なくとも１以上のキャパシタから構成される、容量が実質的に同一である複数のキャパシタと、を備え、
前記キャパシタは、前記直線状導体上または/および隣り合う前記直線状導体の接続点で挟まれた前記リング状導体の一部を構成する弧状導体上に、少なくとも一つずつ配置され、
前記複数の直線状導体は、前記リング状導体の長軸および短軸に対して、線対称に配置され、
隣接する２つの前記弧状導体間の電気位相差は、前記リング状導体の短軸方向から長軸方向に向かって増加し、かつ、リング状導体の中心に関して点対象の位置にある２つの前記弧状導体の電気位相差が１８０度であることを特徴とするコイルを備えた磁気共鳴イメージング装置。
【請求項４】
請求項１から３いずれか１項記載の磁気共鳴イメージング装置であって、
隣り合う２つの前記直線状導体の中心間の距離が、前記リング状導体の短軸方向から長軸方向に向かって増加すること、
を特徴とする磁気共鳴イメージング装置。
【請求項５】
請求項１から４いずれか１項記載の磁気共鳴イメージング装置であって、
前記直線状導体および前記リング状導体は、幅を持つシート形状を有し、
前記直線状導体の幅は、前記リング状導体の短軸方向から長軸方向に向かって増加すること、
を特徴とする磁気共鳴イメージング装置。
【請求項６】
請求項１から５いずれか１項記載の磁気共鳴イメージング装置であって、
前記コイルは、高周波信号を当該コイルに給電する２つまたは４つの給電点をさらに備え、
前記給電点は、前記リング状導体の長軸および短軸のいずれか一方に対して線対称となる位置であって、前記リング状導体の周方向に隣り合う２つの前記給電点において、一方の給電点に給電したときに他方の給電点に流れる高周波電流の振幅が最小となる位置に配置されること、
を特徴とする磁気共鳴イメージング装置。
【請求項７】
請求項１から６いずれか１項記載の磁気共鳴イメージング装置であって、
前記コイルは、前記リング状導体の外側に、前記複数の直線状導体の周囲を覆うシールドをさらに備えること、
を特徴とする磁気共鳴イメージング装置。
【請求項８】
請求項７記載の磁気共鳴イメージング装置であって、
前記リング状導体と前記シールドとの距離は、前記リング状導体の周方向に関し、一定であること、
を特徴とする磁気共鳴イメージング装置。
【請求項９】
請求項７記載の磁気共鳴イメージング装置であって、
前記リング状導体と前記シールドとの距離は、前記リング状導体の短軸から長軸方向に向かって短くなること、
を特徴とする磁気共鳴イメージング装置。
【請求項１０】
請求項１から９記載の磁気共鳴イメージング装置であって、
磁気結合を防止する磁気結合防止手段をさらに備え、
前記磁気結合防止手段は、前記直線状導体もしくは前記リング状導体に配置されること、
を特徴とする磁気共鳴イメージング装置。
【請求項１１】
請求項１０記載の磁気共鳴イメージング装置であって、
前記磁気結合防止手段は、ＰＩＮダイオードであること、
を特徴とする磁気共鳴イメージング装置。
【請求項１２】
請求項１０記載の磁気共鳴イメージング装置であって、
前記磁気結合防止手段は、ＰＩＮダイオードとインダクタとを直列接続した回路にキャパシタを並列接続した回路であること
を特徴とする磁気共鳴イメージング装置。
【請求項１３】
請求項１から９いずれか１項記載の磁気共鳴イメージング装置であって、
高周波磁場信号を生成する高周波磁場信号生成手段と、
検出信号に対し信号処理を行う信号処理手段と、をさらに備え、
前記コイルは、前記高周波磁場信号生成手段から入力される高周波磁場信号を被検体に照射するとともに前記被検体から発生する磁気共鳴信号を検出して前記検出信号として前記信号処理手段に出力すること、
を特徴とする磁気共鳴イメージング装置。
【請求項１４】
請求項１０から１２いずれか１項記載の磁気共鳴イメージング装置であって、
高周波磁場信号を生成する高周波磁場信号生成手段と、
前記被検体から発生する磁気共鳴信号を検出して検出信号として出力する受信コイルと、をさらに備え、
前記コイルは、前記高周波磁場信号生成手段から入力される高周波磁場信号を被検体に照射すること、
を特徴とする磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】００３１
【補正方法】変更
【補正の内容】
【００３１】
なお、上述のように、４Ｎ本の直線状導体３０１の接続点３０８は、楕円ループ状導体３０２の中心を対称点とし、点対称に楕円ループ状導体３０２上に配置される。従って、第二象限におけるＮ−１（図では３）本の直線状導体３０１は、第一象限２１１におけるＮ−１（図では３）本の直線状導体３０１とｙ軸２０２に対して線対称の位置に配置され、第三象限における３本の直線状導体３０１は、第二象限におけるＮ−１（図では３）本の直線状導体３０１とｘ軸２０１に対して線対称の位置に配置され、第四象限におけるＮ−１（図では３）本の直線状導体３０１は、第一象限２１１における３本の直線状導体３０１とｘ軸２０１に対して線対称の位置に配置される。
【手続補正４】
【補正対象書類名】明細書
【補正対象項目名】００５０
【補正方法】変更
【補正の内容】
【００５０】
また、ｄｋ、ｋ＋１は、ｙ軸２０２上から楕円ループ状導体３０２に周方向に時計回りに数えてｋ番目とｋ＋１番目の２本の直線状導体３０１の間の距離であり、式（２２）で表される。
【数２２】
2012217675.tif 000001
【手続補正５】
【補正対象書類名】明細書
【補正対象項目名】００５９
【補正方法】変更
【補正の内容】
【００５９】
図６に示す楕円型バードケージコイル９１０のサイズを、長軸直径３００ｍｍ、短軸直径２４０ｍｍ、長さ３００ｍｍとし、この楕円型バードケージコイル９１０を、１２０ＭＨｚで感度分布が均一な共振モードとなるように調整した結果、図６に示す各キャパシタ９０６の値（Ｃ１〜Ｃ４）は、Ｃ１＝２９ｐＦ、Ｃ２＝２６．３ｐＦ、Ｃ３＝２３．７ｐＦ、Ｃ４＝２１．２ｐＦとなり、各キャパシタ９０６の値が、ｘ軸２０１上から楕円ループ状導体３０２の周方向に反時計回りに向かって増加する傾向を示した。これは、電気位相差Δθが一定の場合は、キャパシタの値が同一にならないことを示す。
【手続補正６】
【補正対象書類名】明細書
【補正対象項目名】０１０７
【補正方法】変更
【補正の内容】
【０１０７】
式（５）および式（４５）は、図９（ｂ）に示す第一象限２１１のＲＦコイルユニット３３０の等価回路４３０から導かれる。この等価回路４３０を図１０に示す。図１０は、ＲＦコイルユニット３３０の第一象限２１１部分を、平面上に展開して等価回路で表わした図である。Ｃは、第一キャパシタ３０６の値である。また、等価回路４３０は、図１０の紙面の上下方向に対して対称であるため、仮想的な接地面４１３を直線状導体３０１の中点にとる。
【手続補正７】
【補正対象書類名】明細書
【補正対象項目名】０１３４
【補正方法】変更
【補正の内容】
【０１３４】
また、第一給電点３０４と第三給電点とは、同軸ケーブルを介して高周波合成器に接続されてＱＤハイブリッドに接続され、第二給電点３０５と第四給電点とは、同軸ケーブルを介して高周波合成器に接続されてＱＤハイブリッドに接続される。また、第三給電点と高周波合成器との間および第四給電点と高周波合成器との間に信号の位相を１８０度シフトさせる位相シフト回路がそれぞれ挿入される。これにより、第一給電点３０４と第三給電点において位相差が１８０度となり、第一給電点３０４と第三給電点から同位相の高周波信号がコイルに給電される。第二給電点３０５と第四給電点についても同様に位相差が１８０度となり、第二給電点３０５と第四給電点から同位相の高周波信号がコイルに給電される。よって、ＲＦコイルユニット３１０の共振状態は、給電点が２つの場合と同一となる。従って、給電点が４つの場合においても、ＲＦコイルユニット３１０は、磁気共鳴周波数（ｆｃ）で共振状態となり、コイルの感度分布が均一な共振モードで共振する。
【手続補正８】
【補正対象書類名】明細書
【補正対象項目名】０１５４
【補正方法】変更
【補正の内容】
【０１５４】
従って、本実施形態のＲＦコイルユニット３５０、同一容量の複数の第一キャパシタ３０６により、磁気共鳴周波数（ｆｃ）で共振状態となり、コイルの感度分布が均一な共振モードで共振する。
【手続補正９】
【補正対象書類名】明細書
【補正対象項目名】０１６０
【補正方法】変更
【補正の内容】
【０１６０】
磁気結合防止回路５２０は、図１６（ｂ）に示すように、インダクタ５２１とＰＩＮダイオード５２２とが直列接続された回路と、その回路に並列に接続されたキャパシタ５２３と、を備える。ＰＩＮダイオード５２２は、ダイオードの順方向に流れる直流電流の値が一定値以上で概ね導通状態となる特性を持ち、直流電流によりオン／オフ制御がなされる。
【手続補正１０】
【補正対象書類名】明細書
【補正対象項目名】０１６２
【補正方法】変更
【補正の内容】
【０１６２】
キャパシタ５１２とキャパシタ５２３とマッチング用キャパシタ５１３とは、表面コイル５１０が、本実施形態のＭＲＩ装置１１０で設定されている磁気共鳴周波数で共振し、マッチング用キャパシタ５１３の両端から見たコイルのインピーダンスが所定の値となるように調整される。また、磁気結合防止回路５２０は、ＰＩＮダイオード５２２がオンの場合に、インダクタ５２１とキャパシタ５２３とがＭＲＩ装置１１０で設定されている磁気共鳴周波数で共振するよう調整される。
【手続補正１１】
【補正対象書類名】明細書
【補正対象項目名】０１６４
【補正方法】変更
【補正の内容】
【０１６４】
まず、高周波磁場発生器１１３より高周波磁場を照射するための高周波信号を印加する直前に、磁気結合防止回路駆動装置１１７は、ＲＦコイルユニット３５０の磁気結合防止回路３６０のＰＩＮダイオード５２２および表面コイル５１０の磁気結合防止回路５２０のＰＩＮダイオード３６１がオンとなるように直流の制御電流３６４を印加する。
【手続補正１２】
【補正対象書類名】明細書
【補正対象項目名】０１６９
【補正方法】変更
【補正の内容】
【０１６９】
高周波磁場を照射した後、被検体１５０から発せられる磁気共鳴信号を受信するため、磁気結合防止回路駆動装置１１７は、ＲＦコイルユニット３５０の磁気結合防止回路３６０のＰＩＮダイオード３６１および表面コイル５１０の磁気結合防止回路５２０のＰＩＮダイオード５２２がオフとなるように制御電流３６４の値を０に設定する。
【手続補正１３】
【補正対象書類名】図面
【補正対象項目名】図１６
【補正方法】変更
【補正の内容】
【図１６】
2012217675.tif 000002